(57)【要約】【課題】電動バキュームポンプの性能が向上するとともに、電動バキュームポンプの寿命を延ばすことが可能な電動バキュームポンプの制御装置および電動バキュームポンプの制御方法を提供する。【解決手段】負圧を発生する電動バキュームポンプの制御装置であって、電動バキュームポンプにより発生する負圧を検出する負圧検出装置と、負圧検出装置により検出された負圧が、所定値以上となった場合、電動バキュームポンプを停止するポンプ停止制御装置とを備え、ポンプ停止制御装置が、電動バキュームポンプの初期段階の時間経過に対する負圧率のデーターであるポンプ充填性能基準データーに基づき、電動バキュームポンプの現段階の時間経過に対する負圧率のデーターであるポンプ充填性能現在データーにより、電動バキュームポンプの現段階のＯＦＦ時点を決定するように構成されている。【選択図】図１
2018108771.tif 000002
【特許請求の範囲】
【請求項１】
負圧を発生する電動バキュームポンプの制御装置であって、
前記電動バキュームポンプにより発生する負圧を検出する負圧検出装置と、
前記負圧検出装置により検出された負圧が、所定値以上となった場合、電動バキュームポンプを停止するポンプ停止制御装置とを備え、
前ポンプ停止制御装置が、
前記電動バキュームポンプの初期段階の時間経過に対する負圧率のデーターであるポンプ充填性能基準データーに基づき、
前記電動バキュームポンプの現段階の時間経過に対する負圧率のデーターであるポンプ充填性能現在データーにより、
前記電動バキュームポンプの現段階のＯＦＦ時点を決定するように構成されていることを特徴とする電動バキュームポンプの制御装置。
【請求項２】
前記ポンプ停止制御装置が、
前記ポンプ充填性能基準データーにおける、前記電動バキュームポンプを作動する負圧率であるＯＮ閾値に達した時点から、所定の負圧率分上昇したＯＦＦ前閾値に達した時点から、基準ＯＦＦ閾値までの基準経過時間ｔに基づき、
前記ポンプ充填性能現在データーにおいて、電動バキュームポンプを作動する負圧率であるＯＮ閾値に達した時点から、所定の負圧率分上昇したＯＦＦ前閾値に達した時点から、前記ポンプ充填性能基準データーにおける基準経過時間ｔと同じ経過時間ｔにより、
前記電動バキュームポンプの現段階のＯＦＦ時点を決定するように構成されていることを特徴とする請求項１に記載の電動バキュームポンプの制御装置。
【請求項３】
前記ポンプ停止制御装置が、
前記ポンプ充填性能基準データーにおける、前記電動バキュームポンプを作動する負圧率である基準ＯＦＦ前閾値に達した時点から、前記電動バキュームポンプを停止する負圧率である基準ＯＦＦ閾値までの時間ΔＴ１と、負圧率の上昇値ΔＰ１の微分値ΔＰ１／ΔＴ１の値と、
前記ポンプ充填性能現在データーにおいて、前記電動バキュームポンプを作動する負圧率であるＯＦＦ前閾値に達した時点から、前記電動バキュームポンプを停止する負圧率であるＯＦＦ閾値までの時間ΔＴ２と、負圧率の上昇値ΔＰ２の微分値ΔＰ２／ΔＴ２の値が、等しくなる時点により、
前記電動バキュームポンプの現段階のＯＦＦ時点を決定するように構成されていることを特徴とする請求項１に記載の電動バキュームポンプの制御装置。
【請求項４】
前記ポンプ停止制御装置が、
前記ポンプ充填性能基準データーにおける、前記電動バキュームポンプを作動する負圧率である基準ＯＦＦ前閾値に達した時点から、前記電動バキュームポンプを停止する負圧率である基準ＯＦＦ閾値までの時間ΔＴ１と、負圧率の上昇値ΔＰ１の積分値、
【数１】
2018108771.tif 000010
と、
前記ポンプ充填性能現在データーにおいて、前記電動バキュームポンプを作動する負圧率であるＯＦＦ前閾値に達した時点から、前記電動バキュームポンプを停止する負圧率であるＯＦＦ閾値までの時間ΔＴ２と、負圧率の上昇値ΔＰ２の積分値、
【数２】
2018108771.tif 000011
の値が等しくなる時点により、
前記電動バキュームポンプの現段階のＯＦＦ時点を決定するように構成されていることを特徴とする請求項１に記載の電動バキュームポンプの制御装置。
【請求項５】
前記ポンプ停止制御装置が、
前記ポンプ充填性能基準データーにおける、前記電動バキュームポンプを停止する負圧率である基準ＯＦＦ閾値の値よりも、
前記ポンプ充填性能現在データーにおける、前記電動バキュームポンプを停止する負圧率であるＯＦＦ閾値の値を、所定の値低下させた時点により、
前記電動バキュームポンプの現段階のＯＦＦ時点を決定するように構成されていることを特徴とする請求項１に記載の電動バキュームポンプの制御装置。
【請求項６】
前記電動バキュームポンプの制御装置が、内燃機関を有さない電気自動車である商用車のブレーキの電動バキュームポンプの制御装置であることを特徴とする請求項１から５のいずれかに記載の電動バキュームポンプの制御装置。
【請求項７】
負圧を発生する電動バキュームポンプの制御方法であって、
前記電動バキュームポンプにより発生する負圧を検出する負圧検出ステップと、
前記負圧検出装置により検出された負圧が、所定値以上となった場合、電動バキュームポンプを停止するポンプ停止制御ステップとを備え、
前記ポンプ停止制御ステップにおいて、
前記電動バキュームポンプの初期段階の時間経過に対する負圧率のデーターであるポンプ充填性能基準データーに基づき、
前記電動バキュームポンプの現段階の時間経過に対する負圧率のデーターであるポンプ充填性能現在データーにより、
前記電動バキュームポンプの現段階のＯＦＦ時点を決定することを特徴とする電動バキュームポンプの制御方法。
【請求項８】
前記ポンプ停止制御ステップにおいて、
前記ポンプ充填性能基準データーにおける、前記電動バキュームポンプを作動する負圧率であるＯＦＦ前閾値に達した時点から、所定の負圧率分上昇したＯＦＦ前閾値に達した時点から、基準ＯＦＦ閾値までの基準経過時間ｔに基づき、
前記ポンプ充填性能現在データーにおいて、電動バキュームポンプを作動する負圧率であるＯＦＦ前閾値に達した時点から、所定の負圧率分上昇したＯＦＦ前閾値に達した時点から、前記ポンプ充填性能基準データーにおける基準経過時間ｔと同じ経過時間ｔにより、
前記電動バキュームポンプの現段階のＯＦＦ時点を決定することを特徴とする請求項７に記載の電動バキュームポンプの制御方法。
【請求項９】
前記ポンプ停止制御ステップにおいて、
前記ポンプ充填性能基準データーにおける、前記電動バキュームポンプを作動する負圧率である基準ＯＦＦ前閾値に達した時点から、前記電動バキュームポンプを停止する負圧率である基準ＯＦＦ閾値までの時間ΔＴ１と、負圧率の上昇値ΔＰ１の微分値ΔＰ１／ΔＴ１の値と、
前記ポンプ充填性能現在データーにおいて、前記電動バキュームポンプを作動する負圧率であるＯＦＦ前閾値に達した時点から、前記電動バキュームポンプを停止する負圧率であるＯＦＦ閾値までの時間ΔＴ２と、負圧率の上昇値ΔＰ２の微分値ΔＰ２／ΔＴ２の値が、等しくなる時点により、
前記電動バキュームポンプの現段階のＯＦＦ時点を決定することを特徴とする請求項７に記載の電動バキュームポンプの制御方法。
【請求項１０】
前記ポンプ停止制御ステップにおいて、
前記ポンプ充填性能基準データーにおける、前記電動バキュームポンプを作動する負圧率である基準ＯＦＦ前閾値に達した時点から、前記電動バキュームポンプを停止する負圧率である基準ＯＦＦ閾値までの時間ΔＴ１と、負圧率の上昇値ΔＰ１の積分値、
【数３】
2018108771.tif 000012
と、
前記ポンプ充填性能現在データーにおいて、前記電動バキュームポンプを作動する負圧率であるＯＦＦ前閾値に達した時点から、前記電動バキュームポンプを停止する負圧率であるＯＦＦ閾値までの時間ΔＴ２と、負圧率の上昇値ΔＰ２の積分値、
【数４】
2018108771.tif 000013
の値が等しくなる時点により、
前記電動バキュームポンプの現段階のＯＦＦ時点を決定することを特徴とする請求項７に記載の電動バキュームポンプの制御方法。
【請求項１１】
前記ポンプ停止制御ステップにおいて、
前記ポンプ充填性能基準データーにおける、前記電動バキュームポンプを停止する負圧率である基準ＯＦＦ閾値の値よりも、
前記ポンプ充填性能現在データーにおける、前記電動バキュームポンプを停止する負圧率であるＯＦＦ閾値の値を、所定の値低下させた時点により、
前記電動バキュームポンプの現段階のＯＦＦ時点を決定することを特徴とする請求項７に記載の電動バキュームポンプの制御方法。
【請求項１２】
前記電動バキュームポンプの制御方法が、内燃機関を有さない電気自動車である商用車のブレーキの電動バキュームポンプの制御方法であることを特徴とする請求項７から１１のいずれかに記載の電動バキュームポンプの制御装置。
【発明の詳細な説明】
【技術分野】
【０００１】
本開示は、電動バキュームポンプの制御装置および電動バキュームポンプの制御方法に関する。
【０００２】
より詳細には、本開示は、例えば、電気自動車（ＥＶ）において搭載されるブレーキブースターの負圧を発生する電動バキュームポンプの制御装置および電動バキュームポンプの制御方法に関する。
【背景技術】
【０００３】
従来、一般的に、エンジンなどの内燃機関を有する自動車などの車両では、特許文献１（特開２００３−１０２１４６号公報）などに開示されるように、真空ポンプ（機械的なポンプであるメガポンプ）を、エンジンによる回転駆動力によって駆動している。
【０００４】
これにより、運転手のブレーキ操作力を低減する補助を行う、ブレーキの倍力装置を構成するブレーキブースターのための負圧を発生させている。
【０００５】
しかしながら、昨今では、資源有限、環境配慮などの観点から、電気自動車が広く用いられるようになっている。このような内燃機関を有さない電気自動車の場合、エンジンの回転を利用するメガポンプが配置されていない。このため、ブレーキブースターの負圧を発生させるために、メガポンプの代わりに、電気自動車に専用の電動バキュームポンプを設ける必要がある。
【０００６】
この場合、電動バキュームポンプの一部を構成する電動モーターには、ブラシなどの回転部分などの摩耗損傷などに起因する寿命が存在する。このため、電動バキュームポンプの電動モーターを、メガポンプのように常に作動させることはできない。
【０００７】
従って、従来、このような電動バキュームポンプについて、所定の負圧（負圧率）以下では、電動バキュームポンプを作動するＯＮ閾値を設定するとともに、所定の負圧（負圧率）が得られた時点で、電動バキュームポンプを停止するための閾値（ＯＦＦ閾値）が設けられることにより、電動バキュームポンプの作動時間を短くする制御方法が行われている。これによって、電動バキュームポンプの劣化を遅くして、電動バキュームポンプの寿命を延ばす対策が行われている。
【先行技術文献】
【特許文献】
【０００８】
【特許文献１】特開２００３−１０２１４６号公報
【発明の概要】
【発明が解決しようとする課題】
【０００９】
このような従来の電動バキュームポンプの制御方法は、例えば、乗用車のように、比較的低い低負圧率が要求される場合に、電動バキュームポンプが使用される場合、電動バキュームポンプを長寿命化することができるとともに、要求ポンプ性能（ポンプ充填性能）を満たすことができる。
【００１０】
しかしながら、例えば、トラック、バスなどの商用車の場合には、乗用車と比較して、比較的高い高負圧率が要求される。
【００１１】
従って、このような商用車に電動バキュームポンプが使用される場合に、電動バキュームポンプの長寿命化を図るために、乗用車のように比較的低い低負圧率でのＯＦＦ閾値を設定した場合には、商用車の出荷時に必要な高いポンプ性能要求（ポンプ充填性能）を満たすことができなくなる。
【００１２】
一方、商用車の出荷時に必要な高いポンプ性能要求（ポンプ充填性能）に基づいて、比較的高い高負圧率でのＯＦＦ閾値を設定した場合には、作動時間が長くなってしまい、十分なポンプ寿命を担保することができなくなる。
【００１３】
従って、商用車に電動バキュームポンプが使用される場合には、出荷時の高いポンプ性能要求（ポンプ充填性能）の達成と、ポンプの長寿命化は、トレードオフの関係にあり、両方を同時に達成することができない。
【００１４】
このような現状に鑑み、本発明の少なくとも一つの実施形態は、電動バキュームポンプの性能が向上するとともに、電動バキュームポンプの寿命を延ばすことが可能な電動バキュームポンプの制御装置および電動バキュームポンプの制御方法を提供することを目的とする。
【００１５】
また、幾つかの実施形態では、内燃機関を有さない電気自動車である商用車において、出荷時のポンプ性能要求と、ポンプの長寿命化の両方を同時に達成することができる電動バキュームポンプの制御装置および電動バキュームポンプの制御方法を提供することを目的とする。
【課題を解決するための手段】
【００１６】
前述したような従来技術における課題及び目的を達成するために発明されたものであって、本発明の少なくとも一つの実施形態は、負圧を発生する電動バキュームポンプの制御装置であって、
前記電動バキュームポンプにより発生する負圧を検出する負圧検出装置と、
前記負圧検出装置により検出された負圧が、所定値以上となった場合、電動バキュームポンプを停止するポンプ停止制御装置とを備え、
前ポンプ停止制御装置が、
前記電動バキュームポンプの初期段階の時間経過に対する負圧率のデーターであるポンプ充填性能基準データーに基づき、
前記電動バキュームポンプの現段階の時間経過に対する負圧率のデーターであるポンプ充填性能現在データーにより、
前記電動バキュームポンプの現段階のＯＦＦ時点を決定するように構成されていることを特徴とする。
【００１７】
また、幾つかの実施形態では、負圧を発生する電動バキュームポンプの制御方法であって、
前記電動バキュームポンプにより発生する負圧を検出する負圧検出ステップと、
前記負圧検出装置により検出された負圧が、所定値以上となった場合、電動バキュームポンプを停止するポンプ停止制御ステップとを備え、
前記ポンプ停止制御ステップにおいて、
前記電動バキュームポンプの初期段階の時間経過に対する負圧率のデーターであるポンプ充填性能基準データーに基づき、
前記電動バキュームポンプの現段階の時間経過に対する負圧率のデーターであるポンプ充填性能現在データーにより、
前記電動バキュームポンプの現段階のＯＦＦ時点を決定することを特徴とする。
【００１８】
このように構成することによって、電動バキュームポンプの初期段階（出荷時）の時間経過に対する負圧率のデーターであるポンプ充填性能基準データーに基づき、電動バキュームポンプの現段階（性能劣化時）の時間経過に対する負圧率のデーターであるポンプ充填性能現在データーにより、電動バキュームポンプの現段階のＯＦＦ時点を決定するように構成されている。
【００１９】
従って、電動バキュームポンプの現段階（性能劣化時）のポンプ充填性能に適合した適切なＯＦＦ時点を決定することができる。
【００２０】
これにより、電動バキュームポンプの性能が向上するとともに、電動バキュームポンプの寿命を延ばすことが可能である。
【００２１】
従って、電動バキュームポンプの性能が向上するので、例えば、バス、トラックなどの重量の大きな電気自動車のブレーキの確実な制動性能を確保できとともに、電動バキュームポンプの寿命を延ばすことが可能であるので、電気自動車の電動バキュームポンプの定期交換が不要になり、メンテナンスの維持費用を低減することができる。
【００２２】
また、内燃機関を有さない電気自動車である商用車において、出荷時のポンプ性能要求と、ポンプの長寿命化の両方を同時に達成することができる。
【００２３】
また、幾つかの実施形態では、前記ポンプ停止制御装置が、
前記ポンプ充填性能基準データーにおける、前記電動バキュームポンプを作動する負圧率であるＯＮ閾値に達した時点から、所定の負圧率分上昇したＯＦＦ前閾値に達した時点から、基準ＯＦＦ閾値までの基準経過時間ｔに基づき、
前記ポンプ充填性能現在データーにおいて、電動バキュームポンプを作動する負圧率であるＯＮ閾値に達した時点から、所定の負圧率分上昇したＯＦＦ前閾値に達した時点から、前記ポンプ充填性能基準データーにおける基準経過時間ｔと同じ経過時間ｔにより、
前記電動バキュームポンプの現段階のＯＦＦ時点を決定するように構成されていることを特徴とする。
【００２４】
また、幾つかの実施形態では、前記ポンプ停止制御ステップにおいて、
前記ポンプ充填性能基準データーにおける、前記電動バキュームポンプを作動する負圧率であるＯＮ閾値に達した時点から、所定の負圧率分上昇したＯＦＦ前閾値に達した時点から、基準ＯＦＦ閾値までの基準経過時間ｔに基づき、
前記ポンプ充填性能現在データーにおいて、電動バキュームポンプを作動する負圧率であるＯＮ閾値に達した時点から、所定の負圧率分上昇したＯＦＦ前閾値に達した時点から、前記ポンプ充填性能基準データーにおける基準経過時間ｔと同じ経過時間ｔにより、
前記電動バキュームポンプの現段階のＯＦＦ時点を決定することを特徴とする。
【００２５】
このように構成することによって、電動バキュームポンプの現段階（性能劣化時）のポンプ充填性能現在データーにおいて、電動バキュームポンプを作動する負圧率であるＯＮ閾値に達した時点から、所定の負圧率分上昇したＯＦＦ前閾値に達した時点から、電動バキュームポンプの初期段階（出荷時）のポンプ充填性能基準データーにおける基準経過時間ｔと同じ経過時間ｔにより、電動バキュームポンプの現段階のＯＦＦ時点を決定している。
【００２６】
従って、電動バキュームポンプの現段階（性能劣化時）において、従来の電動バキュームポンプの制御方法に比較して、ＯＦＦ閾値を下げることができる。
【００２７】
また、電動バキュームポンプの現段階（性能劣化時）において、従来の電動バキュームポンプの制御方法に比較して、ＯＦＦ閾値に達するまでの時間を短くすることができる。
【００２８】
これにより、電動バキュームポンプの性能が向上するとともに、電動バキュームポンプの寿命を延ばすことが可能である。
【００２９】
この場合、新車性能を重視する場合、電動バキュームポンプの寿命が、従来の電動バキュームポンプの制御方法に比較して、長くなる。
【００３０】
また、この場合、特に、ポンプ寿命を重視する場合に、電動バキュームポンプの初期段階（出荷時）の負圧率を、従来の電動バキュームポンプの制御方法に比較して、高く設定できることになる。
【００３１】
従って、電動バキュームポンプの性能が向上するので、例えば、バス、トラックなどの重量の大きな電気自動車のブレーキの確実な制動性能を確保できとともに、電動バキュームポンプの寿命を延ばすことが可能であるので、電気自動車の電動バキュームポンプの定期交換が不要になり、メンテナンスの維持費用を低減することができる。
【００３２】
また、内燃機関を有さない電気自動車である商用車において、出荷時のポンプ性能要求と、ポンプの長寿命化の両方を同時に達成することができる。
【００３３】
また、幾つかの実施形態では、前記ポンプ停止制御装置が、
前記ポンプ充填性能基準データーにおける、前記電動バキュームポンプを作動する負圧率である基準ＯＦＦ前閾値に達した時点から、前記電動バキュームポンプを停止する負圧率である基準ＯＦＦ閾値までの時間ΔＴ１と、負圧率の上昇値ΔＰ１の微分値ΔＰ１／ΔＴ１の値と、
前記ポンプ充填性能現在データーにおいて、前記電動バキュームポンプを作動する負圧率であるＯＦＦ前閾値に達した時点から、前記電動バキュームポンプを停止する負圧率であるＯＦＦ閾値までの時間ΔＴ２と、負圧率の上昇値ΔＰ２の微分値ΔＰ２／ΔＴ２の値が、等しくなる時点により、
前記電動バキュームポンプの現段階のＯＦＦ時点を決定するように構成されていることを特徴とする。
【００３４】
また、幾つかの実施形態では、前記ポンプ停止制御ステップにおいて、
前記ポンプ充填性能基準データーにおける、前記電動バキュームポンプを作動する負圧率である基準ＯＮ閾値に達した時点から、前記電動バキュームポンプを停止する負圧率である基準ＯＦＦ閾値までの時間ΔＴ１と、負圧率の上昇値ΔＰ１の微分値ΔＰ１／ΔＴ１の値と、
前記ポンプ充填性能現在データーにおいて、前記電動バキュームポンプを作動する負圧率であるＯＦＦ前閾値に達した時点から、前記電動バキュームポンプを停止する負圧率であるＯＦＦ閾値までの時間ΔＴ２と、負圧率の上昇値ΔＰ２の微分値ΔＰ２／ΔＴ２の値が、等しくなる時点により、
前記電動バキュームポンプの現段階のＯＦＦ時点を決定することを特徴とする。
【００３５】
このように構成することによって、微分制御によって、電動バキュームポンプの現段階（性能劣化時）のポンプ充填性能現在データーにおいて、ＯＦＦ閾値までの時間ΔＴ２と、負圧率の上昇値ΔＰ２の微分値ΔＰ２／ΔＴ２の値が、電動バキュームポンプの初期段階（出荷時）のポンプ充填性能基準データーにおける基準ＯＦＦ閾値までの時間ΔＴ１と、負圧率の上昇値ΔＰ１の微分値ΔＰ１／ΔＴ１の値と等しくなる時点により、電動バキュームポンプの現段階のＯＦＦ時点を決定している。
【００３６】
従って、電動バキュームポンプの現段階（性能劣化時）において、従来の電動バキュームポンプの制御方法に比較して、ＯＦＦ閾値を下げることができる。
【００３７】
また、電動バキュームポンプの現段階（性能劣化時）において、従来の電動バキュームポンプの制御方法に比較して、ＯＦＦ閾値に達するまでの時間を短くすることができる。
【００３８】
これにより、電動バキュームポンプの性能が向上するとともに、電動バキュームポンプの寿命を延ばすことが可能である。
【００３９】
この場合、新車性能を重視する場合、電動バキュームポンプの寿命が、従来の電動バキュームポンプの制御方法に比較して、長くなる。
【００４０】
また、この場合、ポンプ寿命を重視する場合に、電動バキュームポンプの初期段階（出荷時）の負圧率を、従来の電動バキュームポンプの制御方法に比較して、高く設定できることになる。
【００４１】
従って、電動バキュームポンプの性能が向上するので、例えば、バス、トラックなどの重量の大きな電気自動車のブレーキの確実な制動性能を確保できるとともに、電動バキュームポンプの寿命を延ばすことが可能であるので、電気自動車の電動バキュームポンプの定期交換が不要になり、メンテナンスの維持費用を低減することができる。
【００４２】
また、内燃機関を有さない電気自動車である商用車において、出荷時のポンプ性能要求と、ポンプの長寿命化の両方を同時に達成することができる。
【００４３】
また、幾つかの実施形態では、前記ポンプ停止制御装置が、
前記ポンプ充填性能基準データーにおける、前記電動バキュームポンプを作動する負圧率である基準ＯＦＦ前閾値に達した時点から、前記電動バキュームポンプを停止する負圧率である基準ＯＦＦ閾値までの時間ΔＴ１と、負圧率の上昇値ΔＰ１の積分値、
【数１】
2018108771.tif 000003
と、
前記ポンプ充填性能現在データーにおいて、前記電動バキュームポンプを作動する負圧率であるＯＦＦ前閾値に達した時点から、前記電動バキュームポンプを停止する負圧率であるＯＦＦ閾値までの時間ΔＴ２と、負圧率の上昇値ΔＰ２の積分値、
【数２】
2018108771.tif 000004
の値が等しくなる時点により、
前記電動バキュームポンプの現段階のＯＦＦ時点を決定するように構成されていることを特徴とする。
【００４４】
また、幾つかの実施形態では、前記ポンプ停止制御ステップにおいて、
前記ポンプ充填性能基準データーにおける、前記電動バキュームポンプを作動する負圧率である基準ＯＦＦ前閾値に達した時点から、前記電動バキュームポンプを停止する負圧率である基準ＯＦＦ閾値までの時間ΔＴ１と、負圧率の上昇値ΔＰ１の積分値、
【数３】
2018108771.tif 000005
と、
前記ポンプ充填性能現在データーにおいて、前記電動バキュームポンプを作動する負圧率であるＯＦＦ前閾値に達した時点から、前記電動バキュームポンプを停止する負圧率であるＯＦＦ閾値までの時間ΔＴ２と、負圧率の上昇値ΔＰ２の積分値、
【数４】
2018108771.tif 000006
の値が等しくなる時点により、
前記電動バキュームポンプの現段階のＯＦＦ時点を決定することを特徴とする。
【００４５】
このように構成することによって、積分制御によって、電動バキュームポンプの現段階（性能劣化時）のポンプ充填性能現在データーにおいて、ＯＦＦ閾値までの時間ΔＴ２と、負圧率の上昇値ΔＰ２の積分値が、電動バキュームポンプの初期段階（出荷時）のポンプ充填性能基準データーにおける基準ＯＦＦ閾値までの時間ΔＴ１と、負圧率の上昇値ΔＰ１の積分値と等しくなる時点により、電動バキュームポンプの現段階のＯＦＦ時点を決定している。
【００４６】
従って、電動バキュームポンプの現段階（性能劣化時）において、従来の電動バキュームポンプの制御方法に比較して、ＯＦＦ閾値を下げることができる。
【００４７】
また、電動バキュームポンプの現段階（性能劣化時）において、従来の電動バキュームポンプの制御方法に比較して、ＯＦＦ閾値に達するまでの時間を短くすることができる。
【００４８】
これにより、電動バキュームポンプの性能が向上するとともに、電動バキュームポンプの寿命を延ばすことが可能である。
【００４９】
この場合、特に、新車性能を重視する場合、電動バキュームポンプの寿命が、従来の電動バキュームポンプの制御方法に比較して、長くなる。
【００５０】
また、この場合、ポンプ寿命を重視する場合に、電動バキュームポンプの初期段階（出荷時）の負圧率を、従来の電動バキュームポンプの制御方法に比較して、高く設定できることになる。
【００５１】
従って、電動バキュームポンプの性能が向上するので、例えば、バス、トラックなどの重量の大きな電気自動車のブレーキの確実な制動性能を確保できとともに、電動バキュームポンプの寿命を延ばすことが可能であるので、電気自動車の電動バキュームポンプの定期交換が不要になり、メンテナンスの維持費用を低減することができる。
【００５２】
また、内燃機関を有さない電気自動車である商用車において、出荷時のポンプ性能要求と、ポンプの長寿命化の両方を同時に達成することができる。
【００５３】
また、幾つかの実施形態では、前記ポンプ停止制御装置が、
前記ポンプ充填性能基準データーにおける、前記電動バキュームポンプを停止する負圧率である基準ＯＦＦ閾値の値よりも、
前記ポンプ充填性能現在データーにおける、前記電動バキュームポンプを停止する負圧率であるＯＦＦ閾値の値を、所定の値低下させた時点により、
前記電動バキュームポンプの現段階のＯＦＦ時点を決定するように構成されていることを特徴とする。
【００５４】
また、幾つかの実施形態では、前記ポンプ停止制御ステップにおいて、
前記ポンプ充填性能基準データーにおける、前記電動バキュームポンプを停止する負圧率である基準ＯＦＦ閾値の値よりも、
前記ポンプ充填性能現在データーにおける、前記電動バキュームポンプを停止する負圧率であるＯＦＦ閾値の値を、所定の値低下させた時点により、
前記電動バキュームポンプの現段階のＯＦＦ時点を決定することを特徴とする。
【００５５】
このように、電動バキュームポンプの初期段階（出荷時）のポンプ充填性能基準データーにおける、電動バキュームポンプを停止する負圧率である基準ＯＦＦ閾値の値よりも、電動バキュームポンプの現段階（性能劣化時）のポンプ充填性能現在データーにおける、電動バキュームポンプを停止する負圧率であるＯＦＦ閾値の値を、所定の値低下させた時点により、電動バキュームポンプの現段階のＯＦＦ時点を決定しても良い。
【００５６】
また、幾つかの実施形態では、前記電動バキュームポンプの制御装置が、内燃機関を有さない電気自動車である商用車のブレーキの電動バキュームポンプの制御装置であることを特徴とする。
【００５７】
また、幾つかの実施形態では、前記電動バキュームポンプの制御方法が、内燃機関を有さない電気自動車である商用車のブレーキの電動バキュームポンプの制御方法であることを特徴とする。
【００５８】
このように、電気自動車である商用車のブレーキの電動バキュームポンプに適用することができ、電動バキュームポンプの性能が向上するので、例えば、バス、トラックなどの重量の大きな電気自動車のブレーキの確実な制動性能を確保できとともに、電動バキュームポンプの寿命を延ばすことが可能であるので、電気自動車の電動バキュームポンプの定期交換が不要になり、メンテナンスの維持費用を低減することができる。
【００５９】
また、内燃機関を有さない電気自動車である商用車において、出荷時のポンプ性能要求と、ポンプの長寿命化の両方を同時に達成することができる。
【発明の効果】
【００６０】
本発明の少なくとも一実施形態によれば、電動バキュームポンプの初期段階（出荷時）の時間経過に対する負圧率のデーターであるポンプ充填性能基準データーに基づき、電動バキュームポンプの現段階の時間経過に対する負圧率のデーターであるポンプ充填性能現在データーにより、電動バキュームポンプの現段階のＯＦＦ時点を決定するように構成されている。
【００６１】
従って、電動バキュームポンプの現段階（性能劣化時）のポンプ充填性能に適合した適切なＯＦＦ時点を決定することができる。
【００６２】
これにより、電動バキュームポンプの性能が向上するとともに、電動バキュームポンプの寿命を延ばすことが可能である。
【００６３】
従って、電動バキュームポンプの性能が向上するので、例えば、バス、トラックなどの重量の大きな電気自動車のブレーキの確実な制動性能を確保できとともに、電動バキュームポンプの寿命を延ばすことが可能であるので、電気自動車の電動バキュームポンプの定期交換が不要になり、メンテナンスの維持費用を低減することができる。
【００６４】
また、内燃機関を有さない電気自動車である商用車において、出荷時のポンプ性能要求と、ポンプの長寿命化の両方を同時に達成することができる。
【図面の簡単な説明】
【００６５】
【図１】本発明の電動バキュームポンプの制御装置を、内燃機関を有さない電気自動車である商用車のブレーキに適用したブレーキシステム全体の概略図である。
【図２】図１のブレーキシステムの部分概略図である。
【図３】本発明の実施例の電動バキュームポンプの制御装置および電動バキュームポンプの制御方法について説明する電動バキュームポンプにおける充填時間と負圧率との関係を示すポンプ充填性能データーを表すポンプ充填性能線図を示すグラフである。
【図４】図３のグラフを部分的に拡大したグラフである。
【図５】新車性能を重視する場合の効果を示すグラフである。
【図６】ポンプ寿命を重視する場合の効果を示すグラフである。
【図７】本発明の別の実施例の電動バキュームポンプの制御装置および電動バキュームポンプの制御方法について説明する電動バキュームポンプにおける充填時間と負圧率との関係を示すポンプ充填性能データーを表すポンプ充填性能線図を示すグラフである。
【図８】図７のグラフを部分的に拡大したグラフである。
【図９】本発明の別の実施例の電動バキュームポンプの制御装置および電動バキュームポンプの制御方法について説明する電動バキュームポンプにおける充填時間と負圧率との関係を示すポンプ充填性能データーを表すポンプ充填性能線図を示すグラフである。
【図１０】図９のグラフを部分的に拡大したグラフである。
【図１１】シミュレーションを用いて、（Ａ）新車時性能、（Ｂ）ポンプ寿命、（Ｃ）ノイズ影響、（Ｄ）センサー精度、（Ｅ）閾値変動調整、に関して、それぞれ評価した結果を示す表である。
【図１２】（Ａ）新車時性能の結果を示すグラフである。
【図１３】（Ｂ）ポンプ寿命の結果を示すグラフである。
【図１４】（Ｃ）ノイズ影響の結果を示すグラフである。
【図１５】（Ｄ）センサー精度の結果を示すグラフである。
【図１６】（Ｅ）閾値変動調整を示すグラフである。
【図１７】従来のエンジンなどの内燃機関を有する自動車における１回のブレーキ操作における負圧率の変化を示すグラフである。
【図１８】メガポンプにおける充填時間と負圧率との関係を示すポンプ充填性能データーを表すポンプ充填性能線図を示すグラフである。
【図１９】従来の電気自動車の電動バキュームポンプの制御方法において、１回のブレーキ操作における負圧率の変化を示すグラフである。
【図２０】電動バキュームポンプにおける充填時間と負圧率との関係を示すポンプ充填性能データーを表すポンプ充填性能線図を示すグラフである。
【発明を実施するための形態】
【００６６】
以下、本発明の実施の形態（実施例）を図面に基づいてより詳細に説明する。
【００６７】
ただし、実施形態として記載されている又は図面に示されている構成部品の寸法、材質、形状、その相対的配置等は、本発明の範囲をこれに限定する趣旨ではなく、単なる説明例にすぎない。
【００６８】
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。一方、一の構成要素を「備える」、「具える」、「具備する」、「含む」、又は、「有する」という表現は、他の構成要素の存在を除外する排他的な表現ではない。
【００６９】
（実施例１）
従来、一般的に、エンジンなどの内燃機関を有する自動車などの車両では、特許文献１（特開２００３−１０２１４６号公報）などに開示されるように、真空ポンプ（メガポンプ）を、エンジンによる回転駆動力によって駆動している。
【００７０】
これにより、運転手のブレーキ操作力を低減する補助を行う、ブレーキの倍力装置を構成するブレーキブースターのための負圧を発生させている。
【００７１】
図１７は、従来のエンジンなどの内燃機関を有する自動車における１回のブレーキ操作における負圧率の変化を示すグラフ、図１８は、メガポンプにおける充填時間と負圧率との関係を示すポンプ充填性能データーを表すポンプ充填性能線図を示すグラフである。
【００７２】
すなわち、図１７に示したように、Ａ１時点でブレーキペダルを踏みこんだ際には、ブレーキブースターの負圧率が一時的に低下するので、ポンプ充填（ポンプによる負圧充填）によって、負圧率が上昇する。そして、Ａ２時点で、ブレーキペダルを開放することによって、ブレーキブースターの負圧率がさらに低下する。
【００７３】
これにより、さらに、ポンプ充填（ポンプによる負圧充填）によって、初期状態（ブレーキ待機状態）まで負圧率が上昇するように構成されている。
【００７４】
この際、図１８に示したように、エンジンによる回転駆動力によって、メガポンプを常に駆動している。
【００７５】
しかしながら、昨今では、資源有限、環境配慮などの観点から、電気自動車が広く用いられるようになっている。このような内燃機関を有さない電気自動車の場合、エンジンの回転を利用するメガポンプが配置されていない。このため、ブレーキブースターの負圧を発生させるために、メガポンプの代わりに、電気自動車に専用の電動バキュームポンプを設ける必要がある。
【００７６】
この場合、電動バキュームポンプの一部を構成する電動モーターには、ブラシなどの回転部分などの摩耗損傷などに起因する寿命が存在する。このため、電動バキュームポンプの電動モーターを、メガポンプのように常に作動させることはできない。
【００７７】
従って、従来、このような電動バキュームポンプについて、所定の負圧（負圧率）以下では、電動バキュームポンプを作動するＯＮ閾値を設定するとともに、所定の負圧（負圧率）が得られた時点で、電動バキュームポンプを停止するための閾値（ＯＦＦ閾値）が設けられることにより、電動バキュームポンプの作動時間を短くする制御方法が行われている。これによって、電動バキュームポンプの劣化を遅くして、電動バキュームポンプの寿命を延ばす対策が行われている。
【００７８】
図１９は、従来の電気自動車の電動バキュームポンプの制御方法において、１回のブレーキ操作における負圧率の変化を示すグラフ、図２０は、電動バキュームポンプにおける充填時間と負圧率との関係を示すポンプ充填性能データーを表すポンプ充填性能線図を示すグラフである。
【００７９】
すなわち、図１９〜図２０に示したように、従来の電気自動車の電動バキュームポンプの制御方法では、所定の負圧（負圧率）以下では、電動バキュームポンプを作動するＯＮ閾値Ｃを設定している。また、所定の負圧（負圧率）が得られた時点で、電動バキュームポンプを停止するための閾値（ＯＦＦ閾値）Ｄが設けられている。
【００８０】
これにより、電動バキュームポンプの作動時間を短くする制御方法が行われており、電動バキュームポンプの劣化を遅くして、電動バキュームポンプの寿命を延ばす対策が行われている。
【００８１】
すなわち、図１９に示したように、Ａ１時点でブレーキペダルを踏みこんだ際には、ブレーキブースターの負圧率が一時的に低下する。この際、ブレーキブースターの負圧率が、ＯＮ閾値Ｃ以下になれば、ポンプ充填（ポンプによる負圧充填）が開始されることによって、ブレーキブースターの負圧率が、ＯＮ閾値になるように構成されている。
【００８２】
そして、Ａ２時点で、ブレーキペダルを開放することによって、ブレーキブースターの負圧率がさらに低下する。
【００８３】
これにより、ブレーキブースターの負圧率が、ＯＮ閾値Ｃより低下するので、ポンプ充填（ポンプによる負圧充填）によって、初期状態（ブレーキ待機状態）である電動バキュームポンプを停止するための閾値（ＯＦＦ閾値）Ｄまで、負圧率が上昇するように構成されている。
【００８４】
ところで、図２０に示したように、例えば、トラック、バスなどの商用車の出荷時に必要な高いポンプ性能要求（ポンプ充填性能）に基づいて、比較的高い高負圧率でのＯＦＦ閾値Ｄを設定した場合には、図１９、図２０の一点鎖線で示したように、電動バキュームポンプの現段階（性能劣化時）には、作動時間がが長くなってしまい、十分なポンプ寿命を担保することができなくなる。
【００８５】
また、トラック、バスなどの商用車の場合には、乗用車と比較して、比較的高い高負圧率が要求される。
【００８６】
従って、このような商用車に電動バキュームポンプが使用される場合に、電動バキュームポンプの長寿命化を図るために、乗用車のように比較的低い低負圧率でのＯＦＦ閾値を設定した場合には、商用車の出荷時に必要な高いポンプ性能要求（ポンプ充填性能）を満たすことができなくなる。
【００８７】
従って、商用車に電動バキュームポンプが使用される場合には、出荷時の高いポンプ性能要求（ポンプ充填性能）の達成と、ポンプの長寿命化は、トレードオフの関係にあり、両方を同時に達成することができない。
【００８８】
このような現状に鑑み、本発明者等が鋭意研究した結果、電動バキュームポンプの性能が向上するとともに、電動バキュームポンプの寿命を延ばすことが可能な電動バキュームポンプの制御装置および電動バキュームポンプの制御方法を発明したものである。
【００８９】
また、内燃機関を有さない電気自動車である商用車において、出荷時のポンプ性能要求と、ポンプの長寿命化の両方を同時に達成することができる電動バキュームポンプの制御装置および電動バキュームポンプの制御方法をを発明したものである。
【００９０】
以下、本発明の実施の形態（実施例）の電動バキュームポンプの制御装置および電動バキュームポンプの制御方法について、図面に基づいてより詳細に説明する。
【００９１】
図１は、本発明の電動バキュームポンプの制御装置を、内燃機関を有さない電気自動車である商用車のブレーキに適用したブレーキシステム全体の概略図、図２は、図１のブレーキシステムの部分概略図である。
【００９２】
図１〜図２において、符号１０は、全体で本発明の電動バキュームポンプの制御装置が適用されるブレーキシステム全体を示している。
【００９３】
図１〜図２に示したように、ブレーキシステム１０は、ブレーキブースター（バキュームブースター）１２を備えており、ブレーキブースター１２にブレーキペダル１４が連結されている。
【００９４】
なお、ブレーキブースター１２は、ブレーキペダル１４の踏力を、負圧と大気圧の差を利用して倍力させ、踏力を軽減する装置であって、運転手のブレーキ操作力を低減する補助を行う、ブレーキの倍力装置を構成する。
【００９５】
なお、このブレーキブースター１２の構造については、特許文献１（特開２００３−１０２１４６号公報）などにおいて、周知の構造であるので、本明細書では、その詳細な構造の説明を省略する。
【００９６】
図１〜図２に示したように、ブレーキブースター１２は、チェックバルブ（逆止弁）を内蔵したバキュームホース１６ａ、および、バキュームホース１６ｂ〜１６ｃを介して、電動バキュームポンプの制御装置１８の一部を構成するバキュームタンク２０に接続されている。
【００９７】
なお、図２にしたように、ブレーキブースター１２と並列に、クラッチ２１に連結されたクラッチブースター２２が、バキュームホース１６ｂ〜１６ｃを介して、バキュームタンク２０に接続されている。
【００９８】
また、図１〜図２に示したように、バキュームタンク２０は、チェックバルブ（逆止弁）を内蔵したバキュームホース１６ｄを介して、電動バキュームポンプ２４に接続されている。そして、図１に示したように、バキュームタンク２０には、電動バキュームポンプ２４により発生する負圧を検出する負圧検出装置であるバキュームセンサー２６が付設されている。
【００９９】
さらに、図１に示したように、バキュームタンク２０のバキュームセンサー２６が、ポンプ停止制御装置を構成するビークル・コントロール・ユニット（ＶＣＵ）２８に接続されている。
【０１００】
そして、ビークル・コントロール・ユニット２８は、リレー３０を介して、電動バキュームポンプ２４に接続されている。これらのリレー３０は、図示しない、フューズボックスを介して、バッテリー電源３２に接続されている。
【０１０１】
一方、図１に示したように、ブレーキブースター１２には、ブレーキ液タンク３４に接続され、フルードライン３６を介して、エンジンコントロールユニットを備えたＡＢＳ（Ａｎｔｉ−ｌｏｃｋ  Ｂｒａｋｅ  Ｓｙｓｔｅｍ）などのハイドロユニット３８に接続されている。そして、ハイドロユニット３８は、フルードライン４０を介して、前後左右のブレーキ４２に接続されている。
【０１０２】
そして、このように構成されるブレーキシステム１０において、本発明の実施例の電動バキュームポンプの制御装置１８では、以下のようにして制御されるようになっている。
【０１０３】
すなわち、ポンプ停止制御装置を構成するビークル・コントロール・ユニット（ＶＣＵ）２８が、電動バキュームポンプ２４の初期段階（出荷時）の時間経過に対する負圧率のデーターであるポンプ充填性能基準データー（ポンプ充填性能線図）に基づき、電動バキュームポンプ２４の現段階（性能劣化時）の時間経過に対する負圧率のデーターであるポンプ充填性能現在データー（ポンプ充填性能線図）により、電動バキュームポンプ２４の現段階（性能劣化時）のＯＦＦ時点を決定するように構成されている。
【０１０４】
すなわち、この実施例では、以下のように、「充填遅延時間追加制御」によって制御されるようになっている。
【０１０５】
図３は、本発明の実施例の電動バキュームポンプの制御装置および電動バキュームポンプの制御方法について説明する電動バキュームポンプにおける充填時間と負圧率との関係を示すポンプ充填性能データーを表すポンプ充填性能線図を示すグラフ、図４は、図３のグラフを部分的に拡大したグラフである。
【０１０６】
すなわち、図３〜図４の実線で示したように、電動バキュームポンプ２４の初期段階（出荷時）のポンプ充填性能基準データー（ポンプ充填性能線図）において、電動バキュームポンプ２４を作動する負圧率であるＯＮ閾値Ｘ１に達した時点ｔ１から、所定の負圧率分上昇した時点ｔ２にＯＦＦ前閾値Ｘ２を設定している。
【０１０７】
そして、このＯＦＦ前閾値Ｘ２から、基準ＯＦＦ閾値Ｘ３に達する時点ｔ３まで達する時間を基準経過時間ｔとしている。
【０１０８】
また、図３〜図４の一点鎖線で示したように、電動バキュームポンプ２４の現段階（性能劣化時）のポンプ充填性能現在データー（ポンプ充填性能線図）において、電動バキュームポンプ２４を作動する負圧率であるＯＮ閾値Ｘ１に達した時点ｔ４から、所定の負圧率分上昇したＯＦＦ前閾値Ｘ２に達した時点をｔ５としている。
【０１０９】
そして、このＯＦＦ前閾値Ｘ２に達した時点ｔ５から、電動バキュームポンプ２４の初期段階（出荷時）のポンプ充填性能基準データーにおける基準経過時間ｔと同じ経過時間ｔを経過した時点ｔ６を、電動バキュームポンプ２４の現段階（性能劣化時）のＯＦＦ時点（ＯＦＦ閾値）としてを決定している。
【０１１０】
なお、この場合、電動バキュームポンプ２４の初期段階（出荷時）のポンプ充填性能基準データー（ポンプ充填性能線図）、電動バキュームポンプ２４の現段階（性能劣化時）のポンプ充填性能現在データー（ポンプ充填性能線図）は、予め計測により計測されたデータを、図示しない、記憶部に記憶されており、ポンプ停止制御装置を構成するビークル・コントロール・ユニット（ＶＣＵ）２８にて使用されるようになっている。
【０１１１】
このように構成することによって、「充填遅延時間追加制御」により、電動バキュームポンプ２４の現段階（性能劣化時）において、従来の電動バキュームポンプの制御方法に比較して、ＯＦＦ閾値を下げることができる。
【０１１２】
また、電動バキュームポンプ２４の現段階（性能劣化時）において、従来の電動バキュームポンプの制御方法に比較して、ＯＦＦ閾値に達するまでの時間を短くすることができる。
【０１１３】
これにより、電動バキュームポンプ２４の性能が向上するとともに、電動バキュームポンプ２４の寿命を延ばすことが可能である。
【０１１４】
この場合、新車性能を重視する場合、図５（Ａ）、図５（Ｂ）のグラフに示したように、電動バキュームポンプ２４の寿命が、従来の電動バキュームポンプの制御方法に比較して、長くなる。
【０１１５】
また、この場合、図６（Ａ）、図６（Ｂ）のグラフに示したように、特に、ポンプ寿命を重視する場合に、電動バキュームポンプ２４の初期段階（出荷時）の負圧率を、従来の電動バキュームポンプの制御方法に比較して、高く設定できることになる。
【０１１６】
従って、電動バキュームポンプ２４の性能が向上するので、例えば、バス、トラックなどの重量の大きな電気自動車のブレーキの確実な制動性能を確保できとともに、電動バキュームポンプ２４の寿命を延ばすことが可能であるので、電気自動車の電動バキュームポンプの定期交換が不要になり、メンテナンスの維持費用を低減することができる。
【０１１７】
また、内燃機関を有さない電気自動車である商用車において、出荷時のポンプ性能要求と、ポンプの長寿命化の両方を同時に達成することができる。
【０１１８】
（実施例２）
図７は、本発明の別の実施例の電動バキュームポンプの制御装置および電動バキュームポンプの制御方法について説明する電動バキュームポンプにおける充填時間と負圧率との関係を示すポンプ充填性能データーを表すポンプ充填性能線図を示すグラフ、図８は、図７のグラフを部分的に拡大したグラフである。
【０１１９】
すなわち、この実施例では、以下のように、「微分制御」によって制御されるようになっている。
【０１２０】
すなわち、図７〜図８の実線で示したように、電動バキュームポンプ２４の初期段階（出荷時）のポンプ充填性能基準データーにおいて、電動バキュームポンプ２４を作動する負圧率である基準ＯＦＦ前閾値Ｘ４に達した時点を、時点ｔ７としている。
【０１２１】
そして、この基準ＯＦＦ前閾値Ｘ４に達した時点ｔ７から、電動バキュームポンプ２４を停止する負圧率である基準ＯＦＦ閾値Ｘ５に達する時点ｔ８までの時間を、時間ΔＴ１としている。
【０１２２】
また、基準ＯＦＦ前閾値Ｘ４に達した時点をｔ７から、電動バキュームポンプ２４を停止する負圧率である基準ＯＦＦ閾値Ｘ５に達する時点ｔ８までの負圧率の上昇値を、負圧率の上昇値ΔＰ１としている。
【０１２３】
そして、これらの時間ΔＴ１と負圧率の上昇値ΔＰ１の微分値ΔＰ１／ΔＴ１としている。
【０１２４】
同様に、図７〜図８の一点鎖線で示したように、電動バキュームポンプ２４の現段階（性能劣化時）のポンプ充填性能現在データーにおいて、電動バキュームポンプ２４を作動する負圧率であるＯＦＦ前閾値Ｘ６に達した時点を、時点ｔ９としている。
【０１２５】
そして、このＯＦＦ前閾値Ｘ６に達した時点ｔ９から、電動バキュームポンプ２４を停止する負圧率であるＯＦＦ閾値Ｘ７に達する時点ｔ１０までの時間を、時間ΔＴ２としている。
【０１２６】
また、ＯＦＦ前閾値Ｘ６に達した時点ｔ９から、電動バキュームポンプ２４を停止する負圧率であるＯＦＦ閾値Ｘ７に達する時点ｔ１０までの負圧率の上昇値を、負圧率の上昇値ΔＰ２としている。
【０１２７】
そして、これらの時間ΔＴ１と、負圧率の上昇値ΔＰ１の微分値ΔＰ１／ΔＴ１の値と、時間ΔＴ２と負圧率の上昇値ΔＰ２の微分値ΔＰ２／ΔＴ２の値が、等しくなる時点ｔ１０を、電動バキュームポンプ２４の現段階（性能劣化時）のＯＦＦ時点としている。
【０１２８】
このように構成することによって、「微分制御」によって、電動バキュームポンプ２４の現段階（性能劣化時）において、従来の電動バキュームポンプの制御方法に比較して、ＯＦＦ閾値を下げることができる。
【０１２９】
また、電動バキュームポンプ２４の現段階（性能劣化時）において、従来の電動バキュームポンプの制御方法に比較して、ＯＦＦ閾値に達するまでの時間を短くすることができる。
【０１３０】
これにより、電動バキュームポンプ２４の性能が向上するとともに、電動バキュームポンプ２４の寿命を延ばすことが可能である。
【０１３１】
この場合、新車性能を重視する場合、図５（Ａ）、図５（Ｂ）のグラフに示したように、電動バキュームポンプ２４の寿命が、従来の電動バキュームポンプの制御方法に比較して、長くなる。
【０１３２】
また、この場合、図６（Ａ）、図６（Ｂ）のグラフに示したように、特に、ポンプ寿命を重視する場合に、電動バキュームポンプ２４の初期段階（出荷時）の負圧率を、従来の電動バキュームポンプの制御方法に比較して、高く設定できることになる。
【０１３３】
従って、電動バキュームポンプ２４の性能が向上するので、例えば、バス、トラックなどの重量の大きな電気自動車のブレーキの確実な制動性能を確保できとともに、電動バキュームポンプ２４の寿命を延ばすことが可能であるので、電気自動車の電動バキュームポンプの定期交換が不要になり、メンテナンスの維持費用を低減することができる。
【０１３４】
また、内燃機関を有さない電気自動車である商用車において、出荷時のポンプ性能要求と、ポンプの長寿命化の両方を同時に達成することができる。
【０１３５】
（実施例３）
図９は、本発明の別の実施例の電動バキュームポンプの制御装置および電動バキュームポンプの制御方法について説明する電動バキュームポンプにおける充填時間と負圧率との関係を示すポンプ充填性能データーを表すポンプ充填性能線図を示すグラフ、図１０は、図９のグラフを部分的に拡大したグラフである。
【０１３６】
すなわち、この実施例では、以下のように、「積分制御」によって制御されるようになっている。
【０１３７】
すなわち、図９〜図１０の実線で示したように、電動バキュームポンプ２４の初期段階（出荷時）のポンプ充填性能基準データーにおいて、電動バキュームポンプ２４を作動する負圧率である基準ＯＦＦ前閾値Ｘ８に達した時点を、時点ｔ１１としている。
【０１３８】
そして、この基準ＯＦＦ前閾値Ｘ８に達した時点ｔ１１から、電動バキュームポンプ２４を停止する負圧率である基準ＯＦＦ閾値Ｘ９に達する時点ｔ１２までの時間を、時間ΔＴ１としている。
【０１３９】
また、基準ＯＦＦ前閾値Ｘ８に達した時点ｔ１１から、電動バキュームポンプ２４を停止する負圧率である基準ＯＦＦ閾値Ｘ９に達する時点ｔ１２までの負圧率の上昇値を、負圧率の上昇値ΔＰ１としている。
【０１４０】
そして、電動バキュームポンプを停止する負圧率である基準ＯＦＦ閾値までの時間ΔＴ１と、負圧率の上昇値ΔＰ１の積分値、
【数５】
2018108771.tif 000007
としている。
【０１４１】
同様に、図９〜図１０の一点鎖線で示したように、電動バキュームポンプ２４の現段階（性能劣化時）のポンプ充填性能現在データーにおいて、電動バキュームポンプ２４を作動する負圧率であるＯＦＦ前閾値Ｘ１０に達した時点を、時点ｔ１３としている。
【０１４２】
そして、このＯＦＦ前閾値Ｘ１０に達した時点ｔ１３から、電動バキュームポンプ２４を停止する負圧率であるＯＦＦ閾値Ｘ１１に達する時点ｔ１４までの時間を、時間ΔＴ２している。
【０１４３】
また、ＯＦＦ前閾値Ｘ１０に達した時点ｔ１３から、電動バキュームポンプ２４を停止する負圧率である基準ＯＦＦ閾値Ｘ１１に達する時点ｔ１４までの負圧率の上昇値を、負圧率の上昇値ΔＰ２としている。
【０１４４】
そして、電動バキュームポンプを停止する負圧率である基準ＯＦＦ閾値までの時間ΔＴ２と、負圧率の上昇値ΔＰ２の積分値、
【数６】
2018108771.tif 000008
としている。
【０１４５】
そして、これらの時間ΔＴ１と、負圧率の上昇値ΔＰ１の積分値と、時間ΔＴ２と、負圧率の上昇値ΔＰ２の積分値が等しくなる時点ｔ１４を、電動バキュームポンプ２４の現段階（性能劣化時）のＯＦＦ時点としている。
【０１４６】
このように構成することによって、「積分制御」によって、電動バキュームポンプ２４の現段階（性能劣化時）において、従来の電動バキュームポンプの制御方法に比較して、ＯＦＦ閾値を下げることができる。
【０１４７】
また、電動バキュームポンプ２４の現段階（性能劣化時）において、従来の電動バキュームポンプの制御方法に比較して、ＯＦＦ閾値に達するまでの時間を短くすることができる。
【０１４８】
これにより、電動バキュームポンプ２４の性能が向上するとともに、電動バキュームポンプ２４の寿命を延ばすことが可能である。
【０１４９】
この場合、特に、新車性能を重視する場合、図５（Ａ）、図５（Ｂ）のグラフに示したように、電動バキュームポンプ２４の寿命が、従来の電動バキュームポンプの制御方法に比較して、長くなる。
【０１５０】
また、この場合、図６（Ａ）、図６（Ｂ）のグラフに示したように、特に、ポンプ寿命を重視する場合に、電動バキュームポンプ２４の初期段階（出荷時）の負圧率を、従来の電動バキュームポンプの制御方法に比較して、高く設定できることになる。
【０１５１】
従って、電動バキュームポンプ２４の性能が向上するので、例えば、バス、トラックなどの重量の大きな電気自動車のブレーキの確実な制動性能を確保できとともに、電動バキュームポンプ２４の寿命を延ばすことが可能であるので、電気自動車の電動バキュームポンプの定期交換が不要になり、メンテナンスの維持費用を低減することができる。
【０１５２】
また、内燃機関を有さない電気自動車である商用車において、出荷時のポンプ性能要求と、ポンプの長寿命化の両方を同時に達成することができる。
【０１５３】
なお、従来の電動バキュームポンプの制御方法、実施例１の「充填遅延時間追加制御」、実施例２の「微分制御」、実施例３の「積分制御」について、シュミレーションを用いて、（Ａ）新車時性能、（Ｂ）ポンプ寿命、（Ｃ）ノイズ影響、（Ｄ）センサー精度、（Ｅ）閾値変動調整、に関して、それぞれ評価した。その結果を図１１の表に示した。
【０１５４】
なお、シミュレーションでは、
（Ａ）新車時性能…寿命一定時
（Ｂ）ポンプ寿命…新車性能一定
（Ｃ）ノイズ影響…信号にある振動が大きい場合
（Ｄ）センサー精度…信号センサーの出力バラツキが大きい場合（振動なし）
（Ｅ）閾値変動調整…新車と旧車の閾値変化調整自由度
の条件で行った。
【０１５５】
また、具体的なシュミレーションは、
【数７】
2018108771.tif 000009
【０１５６】
但し、
t:    大気圧からの吸気時間  (s)
P0：  大気圧                (Pa)
Pt：  時間t時の負圧        (Pa)
S:    ポンプ吸気速度        (m3/s)
V:    バキューム系統体積  (m3)
a：    最大負圧率
を用いて、バキュームポンプ使用時間増加によりaが下がるという条件で行った。
【０１５７】
また、図１２のグラフは、（Ａ）新車時性能の結果を示すグラフ、図１３のグラフは、（Ｂ）ポンプ寿命の結果を示すグラフ、図１４のグラフは、（Ｃ）ノイズ影響の結果を示すグラフ、図１５のグラフは、（Ｄ）センサー精度の結果を示すグラフ、図１６のグラフは、（Ｅ）閾値変動調整を示すグラフである。
【０１５８】
なお、図１４の（Ｃ）ノイズ影響の結果を示すグラフの実線に示されているように、実際はノイズにより、信号にある振動が大きいので、実施例２の「微分制御」よりも、実施例３の「積分制御」の方がノイズの影響を受けずに優れている。
【０１５９】
また、図１５の（Ｄ）センサー精度の結果を示すグラフの一点鎖線と二点鎖線で示したように、従来の電動バキュームポンプの制御方法、実施例１の「充填遅延時間追加制御」では、センサー精度の影響を受けることになる。
【０１６０】
これらの結果から明かなように、本発明の実施例１の「充填遅延時間追加制御」、実施例２の「微分制御」、実施例３の「積分制御」のいずれも、（Ａ）新車時性能、（Ｂ）ポンプ寿命、（Ｃ）ノイズ影響、（Ｄ）センサー精度、（Ｅ）閾値変動調整、に関して、従来の電動バキュームポンプの制御方法に比較して向上しているのが分かる。
【０１６１】
なお、新車性能を重視する場合、実施例３の「積分制御」＞実施例２の「微分制御」、実施例３の「積分制御」＞実施例１の「充填遅延時間追加制御」の順に効果に優れている。
【０１６２】
また、ポンプ寿命を重視する場合、実施例１の「充填遅延時間追加制御」＞実施例２の「微分制御」＞実施例３の「積分制御」」の順に効果に優れている。
【０１６３】
なお、上記の実施例１〜実施例３以外の方法でも、図示しないが、ポンプ充填性能基準データーにおける、電動バキュームポンプを停止する負圧率である基準ＯＦＦ閾値の値よりも、ポンプ充填性能現在データーにおける、電動バキュームポンプを停止する負圧率であるＯＦＦ閾値の値を、所定の値低下させた時点により、電動バキュームポンプの現段階のＯＦＦ時点を決定するようにすればよい。
【０１６４】
以上、本発明の好ましい実施の態様を説明してきたが、本発明はこれに限定されることはなく、例えば、上記実施例では、本発明の電動バキュームポンプの制御装置および電動バキュームポンプの制御方法を、内燃機関を有さない電気自動車である商用車のブレーキに適用した実施例を示したが、それ以外でも、もちろん普通の乗用車にも、また、ハイブリッドカー（ＨＶ）、プラグインハイブリッドカー（ＰＨＶ）、プラグインハイブリッド電気自動車（ＰＨＥＶ）などの電池式電気自動車にも適用可能である。
【０１６５】
さらに、本発明の電動バキュームポンプの制御装置および電動バキュームポンプの制御方法を、その他の負圧を利用する機器の電動バキュームポンプの制御装置および電動バキュームポンプの制御方法として用いることも可能であるなど本発明の目的を逸脱しない範囲で種々の変更が可能である。
【産業上の利用可能性】
【０１６６】
本開示は、電動バキュームポンプの制御装置および電動バキュームポンプの制御方法に適用することができる。
【０１６７】
より詳細には、本開示は、例えば、電気自動車（ＥＶ）、ハイブリッドカー（ＨＶ）、プラグインハイブリッドカー（ＰＨＶ）、プラグインハイブリッド電気自動車（ＰＨＥＶ）などの電池式電気自動車において搭載される、電池（バッテリー）が収容された電池パックに付設され、衝撃回数を検出するための衝撃検知装置および衝撃検知装置を備えた電池パックに適用することができる。
【符号の説明】
【０１６８】
Ｃ    ＯＮ閾値
Ｄ    ＯＦＦ閾値
Ｘ１    ＯＮ閾値
Ｘ２    ＯＦＦ前閾値
Ｘ３    基準ＯＦＦ閾値
Ｘ４    基準ＯＦＦ前閾値
Ｘ５    基準ＯＦＦ閾値
Ｘ６    ＯＦＦ前閾値
Ｘ７    ＯＦＦ閾値閾値
Ｘ８    基準ＯＦＦ前閾値
Ｘ９    基準ＯＦＦ閾値
Ｘ１０    ＯＦＦ前閾値
Ｘ１１    ＯＦＦ閾値閾値
ｔ    基準経過時間
ｔ    経過時間
ｔ１〜ｔ１４    時点
ΔＰ１    上昇値
ΔＰ１／ΔＴ１    微分値
ΔＰ２    上昇値
ΔＰ２／ΔＴ２    微分値
ΔＴ１    時間
ΔＴ２    時間
１０    ブレーキシステム
１２    ブレーキブースター
１４    ブレーキペダル
１６ａ〜１６ｄ    バキュームホース
１８    電動バキュームポンプの制御装置
２０    バキュームタンク
２１    クラッチ
２２    クラッチブースター
２４    電動バキュームポンプ
２６    バキュームセンサー
２８    ビークル・コントロール・ユニット
３０    リレー
３２    バッテリー電源
３４    ブレーキ液タンク
３６    フルードライン
３８    ハイドロユニット
４０    フルードライン
４２    ブレーキ
【図１】
2018108771.tif 000014
【図２】
2018108771.tif 000015
【図３】
2018108771.tif 000016
【図４】
2018108771.tif 000017
【図５】
2018108771.tif 000018
【図６】
2018108771.tif 000019
【図７】
2018108771.tif 000020
【図８】
2018108771.tif 000021
【図９】
2018108771.tif 000022
【図１０】
2018108771.tif 000023
【図１１】
2018108771.tif 000024
【図１２】
2018108771.tif 000025
【図１３】
2018108771.tif 000026
【図１４】
2018108771.tif 000027
【図１５】
2018108771.tif 000028
【図１６】
2018108771.tif 000029
【図１７】
2018108771.tif 000030
【図１８】
2018108771.tif 000031
【図１９】
2018108771.tif 000032
【図２０】
2018108771.tif 000033